(57)【要約】【課題】従来のＭＳステレオ処理において、入力信号から生成されるＭｉｄｄｌｅ信号とＳｉｄｅ信号との間の偏りを高める処理が存在しないためにＭＳステレオ処理がなされず、圧縮効率を下げる場合があった。【解決手段】Ｍｉｄｄｌｅ信号とＳｉｄｅ信号間の偏りを大きくするために、従来のＭｉｄｄｌｅ信号、Ｓｉｄｅ信号を算出する算出式に重み係数を導入し、意図的に信号間の偏りを大きくすることにより、ＭＳステレオ処理を実行する機会を増加させ、結果として符号化に要するビット量を削減し、符号化効率を向上させる事が可能である。また、符号化に要するビット量を削減する事によって他の符号化処理でより多くのビットを割り当てる事が可能となるために高音質化が可能である。【選択図】図１
2008203315.tif 000002
【特許請求の範囲】
【請求項１】
２チャンネルのオーディオ信号から重み係数を算出する重み係数算出手段と、
前記重み係数算出手段で算出した前記重み係数を用いて前記オーディオ信号に対するＭｉｄｄｌｅ信号とＳｉｄｅ信号とを算出するＭＳ信号算出手段と、
前記ＭＳ信号算出手段で算出した前記Ｍｉｄｄｌｅ信号とＳｉｄｅ信号とを符号化する第１の信号処理手段とを備え、
前記重み係数算出手段は、係数を前記オーディオ信号に掛けたものから算出したＭｉｄｄｌｅ信号とＳｉｄｅ信号との偏りが最大となるような係数を重み係数として算出することを特徴とするオーディオ符号化装置。
【請求項２】
前記ＭＳ信号算出手段で算出した前記Ｍｉｄｄｌｅ信号とＳｉｄｅ信号とをもとに、ＭＳステレオ処理を実施するか否かを判定するＭＳステレオ判定手段を備えた事を特徴とする請求項１記載のオーディオ符号化装置。
【請求項３】
前記重み係数算出手段が、前記２チャンネルのオーディオ信号のそれぞれの信号の２乗を累積したものの比の平方根を前記重み係数として算出することを特徴とする請求項１記載のオーディオ符号化装置。
【請求項４】
前記オーディオ信号が時間領域で表現される信号である事を特徴とする請求項１記載のオーディオ符号化装置。
【請求項５】
前記オーディオ信号が周波数領域で表現される信号である事を特徴とする請求項１記載のオーディオ符号化装置。
【請求項６】
請求項１記載のオーディオ符号化装置で符号化された信号からＭｉｄｄｌｅ信号とＳｉｄｅ信号とを復号する第２の信号処理手段と、
前記オーディオ符号化装置で算出された重み係数を用いて、前記第２の信号処理手段で算出したＭｉｄｄｌｅ信号とＳｉｄｅ信号とから２チャンネルのオーディオ信号を復元するデコード手段とを備えたことを特徴とするオーディオ復号化装置。
【請求項７】
２チャンネルのオーディオ信号から重み係数を算出する重み係数算出ステップと、
前記重み係数算出ステップで算出した前記重み係数を用いて前記オーディオ信号に対するＭｉｄｄｌｅ信号とＳｉｄｅ信号とを算出するＭＳ信号算出ステップと、
前記ＭＳ信号算出ステップで算出した前記Ｍｉｄｄｌｅ信号とＳｉｄｅ信号とを符号化する第１の信号処理ステップとを有し、
前記重み係数算出ステップでは、係数を前記オーディオ信号に掛けたものから算出したＭｉｄｄｌｅ信号とＳｉｄｅ信号との偏りが最大となるような係数を重み係数として算出することを特徴とするオーディオ符号化方法。
【請求項８】
請求項７記載のオーディオ符号化方法で符号化された信号からＭｉｄｄｌｅ信号とＳｉｄｅ信号とを復号する第２の信号処理ステップと、
前記オーディオ符号化方法で算出された重み係数を用いて、前記第２の信号処理方法で算出したＭｉｄｄｌｅ信号とＳｉｄｅ信号とから２チャンネルのオーディオ信号を復元するデコードステップとを備えたことを特徴とするオーディオ復号化方法。
【請求項９】
請求項７または請求項８のいずれかに記載のオーディオ復号化方法の各ステップをコンピュータに実行させるためのプログラム。
【請求項１０】
請求項９記載のプログラムを格納した記録媒体。
【発明の詳細な説明】
【技術分野】
【０００１】
本発明は、デジタル圧縮符号化方式を用いたオーディオ信号の符号化・復号化装置に関し、特にＭＳステレオ処理を有するオーディオ信号の符号化・復号化装置に関する。
【背景技術】
【０００２】
従来のオーディオ信号符号化方法、および、復号化方法としては、公知なものとしてＩＳＯ／ＩＥＣの国際標準方式、通称ＭＰＥＧ方式などが挙げられる。現在、幅広い応用を持ち、低ビットレート時でも高音質な符号化方式として、非特許文献１に記載のＭＰＥＧ２  ＡＡＣ（Ａｄｖａｎｃｅｄ  Ａｕｄｉｏ  Ｃｏｄｉｎｇ）などがあげられる。この方式の拡張規格も複数規格化が現在なされている。
【０００３】
これらの符号化・復号化方式において、圧縮効率を高めるための処理の一つとしてＭＳステレオ処理がある。以下図面を参照しながら、ＭＳステレオ処理のエンコーダとデコーダについて説明する。
【０００４】
図５はＭＳステレオ処理のエンコーダにおける構成を示す図である。図５において、１１はＬチャンネル入力信号（以下Ｌ信号と呼ぶ）とＲチャンネル入力信号（以下Ｒ信号と呼ぶ）と（以下ＬＲ信号と呼ぶ）からＭｉｄｄｌｅ信号（和信号、以下Ｍ信号と呼ぶ）とＳｉｄｅ信号（差信号、以下Ｓ信号と呼ぶ）と（以下ＭＳ信号と呼ぶ）を算出するＭＳ信号算出手段であり、１２は前記ＭＳ信号算出手段１１で算出したＭＳ信号から２乗振幅和信号（Ｘ）を算出するＭＳ２乗振幅和算出手段であり、１３はＭＳ２乗振幅和算出手段１２から算出したＭＳ信号の２乗振幅和信号Ｘをもとに、ＭＳステレオ処理を実施するかどうかの判定結果を出力するＭＳステレオ判定手段であり、１４は前記ＭＳステレオ判定手段１３で判定した判定結果を基に、ＬＲ信号もしくはＭＳ信号を選択して符号化処理を行い、さらに前記判定結果をフラグに設定する信号処理手段である。
【０００５】
以上のように構成されたＭＳステレオ処理の動作について、図６のフロー図を用いて説明する。まず、ＭＳ信号算出ステップ２０１にて、式１を用いて、ＭＳ信号算出手段１１に入力されたＬＲ信号（式中Ｌ（ｎ）、Ｒ（ｎ）、ｎはサンプル番号）から、ＭＳ信号（式中Ｍ（ｎ）、Ｓ（ｎ））を算出する。
【０００６】
【数１】
2008203315.tif 000003
【０００７】
次に、ＭＳ２乗振幅和算出ステップ２０２にて、ＭＳ２乗振幅和算出手段１２が、ＭＳ信号算出手段１１で算出したＭＳ信号から、式２を用いてそれぞれの振幅２乗和を表すＳＵＭ＿Ｍ、ＳＵＭ＿Ｓを算出する。ここで、Σの累積加算範囲はＭＳステレオ処理の処理単位であり、例えば１０２４個のサンプルからなる１フレームである。
【０００８】
【数２】
2008203315.tif 000004
【０００９】
さらに式３を用いて、Ｍ信号とＳ信号のそれぞれの振幅２乗和を表すＳＵＭ＿ＭとＳＵＭ＿Ｓとの偏りを表す値Ｘを算出する。
【００１０】
【数３】
2008203315.tif 000005
【００１１】
次にＭＳステレオ判定ステップ２０３にて、ＭＳステレオ判定手段１３が、ＭＳ２乗振幅和算出手段１２で算出した偏りを表すＸと、ＬＲ信号を符号化するよりもＭＳステレオ処理を実行してＭＳ信号を符号化する方が圧縮効率が上がると判断できる閾値Ｔ１，Ｔ２とを比較し、ＭＳステレオ処理を実行するかどうかを判定し、その判定結果を出力する。ここでＴ１はＳＵＭ＿ＭがＳＵＭ＿Ｓに対して十分大きい場合の閾値で、Ｔ２はＳＵＭ＿ＳがＳＵＭ＿Ｍに対して十分に大きい場合の閾値である。つまり、Ｘ≧Ｔ１もしくはＸ≦Ｔ２であればＭＳステレオ処理を実行するという判定結果を出力し、ＭＳ信号選択ステップ２０４にて、信号処理手段１４がＭＳ信号算出手段１１の出力であるＭＳ信号を選択して符号化するとともに、次のＭＳステレオ実行フラグ設定ステップ２０５にて、信号処理手段１４がＭＳステレオ実行フラグを設定する。また、Ｔ２＜Ｘ＜Ｔ１であればＭＳステレオ処理を実行しないという判定結果を出力し、ＬＲ信号選択ステップ２０６にて、信号処理手段１４がＬＲ信号を選択して符号化する。
【００１２】
続いて、ＭＳステレオ処理のデコーダについて説明する。図７はＭＳステレオ処理のデコーダの構成を示す図である。１６は入力信号を復号化してＬＲ信号もしくはＭＳ信号を出力すると共に、ＭＳステレオ実行フラグの有無を判別する信号処理手段であり、１７は信号処理手段１６においてＭＳステレオ実行フラグを判別してエンコーダ側でＭＳステレオ処理が実行されたと判断した場合に、信号処理手段１６からのＭＳ信号に所定の処理を実行してＬＲ信号を復元するデコード手段である。
【００１３】
以上のように構成されたＭＳステレオデコード処理の動作について、以下図８のフロー図を用いて説明する。図８のＭＳステレオ判別ステップ２０７にて、信号処理手段１６が、エンコーダ側でＭＳステレオ処理されたかどうかを示すフラグを確認する事で判別し判別結果を出力する。フラグを判別してエンコーダ側でＭＳステレオ処理が実行されていないと判断した場合は、入力信号をデコードする必要がないため、ＭＳステレオデコード処理を終了する。また、フラグを判別してエンコーダ側でＭＳステレオ処理が実行されていると判断した場合は、デコードステップ２０８にて、デコード手段１７が、式４に従いＭＳ信号をデコードしてＬＲ信号を復元する。
【００１４】
【数４】
2008203315.tif 000006
【００１５】
ＭＳステレオ処理の上記動作により、Ｌ信号とＲ信号が同符号でかつ絶対値が類似した信号であればＳ信号が小さな値となり、またＬ信号とＲ信号が異符号でかつ信号の絶対値が類似した信号であればＭ信号が小さな値となり、Ｌ信号とＲ信号をそのまま圧縮するよりも割り当てるビット量が少なくて済むために符号化効率を向上させる事が可能となる。
【００１６】
なお、ＭＳ信号を圧縮するよりもＬＲ信号をそのまま圧縮した方が圧縮効率が良い、つまりＬ信号とＲ信号とに相関がないと判断された場合は、ＭＳステレオ処理をしない。
【非特許文献１】国際規格  ＩＳＯ／ＩＥＣ  １３８１８−７：１９９７
【発明の開示】
【発明が解決しようとする課題】
【００１７】
しかしながら、従来のＭＳステレオ処理では、入力されたＬＲ信号に何も処理を加える事なくＭＳ信号を求めるために、入力信号に対して相関を高める処理を行う事ができず、相関がないと判断されてＭＳステレオ処理をせずに圧縮効率を下げている場合があった。例えば、Ｒ信号がＬ信号のｋ倍（ｋ：整数）で表現可能な場合、Ｒ信号をｋＬとすると、Ｍ信号（式中Ｍ（ｋ））、Ｓ信号（式中Ｓ（ｋ））は式５のように求まる。
【００１８】
【数５】
2008203315.tif 000007
【００１９】
ここで、Ｒ信号はＬ信号の整数倍であるから、両信号はどちらか一方の入力信号（本例ではＬチャンネル信号）を用いて表現できるため、圧縮効率を高める事が可能であるが、ＭＳステレオ処理では和と差による演算結果のみがＭ信号とＳ信号に反映されるため、両信号の相関が高いとは判断されない。例えば、ｋの絶対値が１より十分大きい場合はＭ信号、Ｓ信号ともに絶対値が大きいままなので、Ｌ信号とＲ信号との間に相関がないと判断されてＭＳステレオ処理をされず、圧縮効率を高める事ができない、という課題があった。
【課題を解決するための手段】
【００２０】
上記従来の課題を解決するため、本発明のオーディオ符号化装置は、２チャンネルのオーディオ信号から重み係数を算出する重み係数算出手段と、前記重み係数算出手段で算出した前記重み係数を用いて前記オーディオ信号に対するＭｉｄｄｌｅ信号とＳｉｄｅ信号とを算出するＭＳ信号算出手段と、前記ＭＳ信号算出手段で算出した前記Ｍｉｄｄｌｅ信号とＳｉｄｅ信号とを符号化する第１の信号処理手段とを備え、前記重み係数算出手段は、係数を前記オーディオ信号に掛けたものから算出したＭｉｄｄｌｅ信号とＳｉｄｅ信号との偏りが最大となるような係数を重み係数として算出することを特徴とするものである。
【００２１】
また、前記ＭＳ信号算出手段で算出した前記Ｍｉｄｄｌｅ信号とＳｉｄｅ信号とをもとに、ＭＳステレオ処理を実施するか否かを判定するＭＳステレオ判定手段を備えた事を特徴とするものである。
【００２２】
また、前記重み係数算出手段が、前記２チャンネルのオーディオ信号のそれぞれの信号の２乗を累積したものの比の平方根を前記重み係数として算出することを特徴とするものである。
【００２３】
また、前記オーディオ信号が時間領域で表現される信号である事を特徴とするものである。
【００２４】
また、前記オーディオ信号が周波数領域で表現される信号である事を特徴とするものである。
【００２５】
また、本発明のオーディオ復号化装置は、オーディオ符号化装置で符号化された信号からＭｉｄｄｌｅ信号とＳｉｄｅ信号とを復号する第２の信号処理手段と、前記オーディオ符号化装置で算出された重み係数を用いて、前記第２の信号処理手段で算出したＭｉｄｄｌｅ信号とＳｉｄｅ信号とから２チャンネルのオーディオ信号を復元するデコード手段とを備えたことを特徴とするものである。
【発明の効果】
【００２６】
本発明のオーディオ符号化装置によれば、２チャンネルのオーディオ信号と重み係数から算出するＭｉｄｄｌｅ信号とＳｉｄｅ信号の偏りが最大となるような重み係数を算出し、それを用いてＭｉｄｄｌｅ信号とＳｉｄｅ信号を算出することにより、２チャンネルのオーディオ信号をそのまま圧縮符号化するよりも圧縮効率を高める事ができる。
【００２７】
また、重み係数を用いてＭｉｄｄｌｅ信号とＳｉｄｅ信号を算出する事により、ＭＳ判定手段においてＭＳステレオ処理を実施するように判断する場合が増加するため、圧縮効率を高める事ができる。
【００２８】
また本発明のオーディオ復号化装置によれば、Ｍｉｄｄｌｅ信号とＳｉｄｅ信号とを重み係数を用いて２チャンネルの信号に復号化する事ができる。
【発明を実施するための最良の形態】
【００２９】
以下本発明を実施するための最良の形態について、図面を参照しながら説明する。
【００３０】
（実施の形態１）
図１は実施の形態１におけるオーディオ符号化装置のエンコーダの構成を示す図である。図１において、１は、後述の重み計数ＧをＬチャンネル信号（Ｌ信号）又はＲチャンネル信号（Ｒ信号）に掛けた上で、Ｍｉｄｄｌｅ信号（Ｍ信号）およびＳｉｄｅ信号（Ｓ信号）を算出するＭＳ信号算出手段であり、２は、ＭＳ信号算出手段１で算出したＭ信号とＳ信号から２乗振幅和Ｘを算出するＭＳ２乗振幅和算出手段であり、３は、２乗振幅和ＸからＭＳステレオ処理を実施するかどうかを判定するＭＳステレオ判定手段であり、４は、ＭＳステレオ判定手段３で判定した判定結果を基に、ＬＲ信号又はＭＳ信号のどちらか一方を選択して符号化処理をするとともに、ＭＳステレオ処理を実施したかどうかをフラグに設定し、さらに重み計数Ｇの情報を付加する信号処理手段であり、５は、ＬＲ信号から、後述の方法で重み係数Ｇを算出する重み係数算出手段である。
【００３１】
以下、重み計数Ｇの算出方法について説明する。重み計数Ｇは、Ｌ信号もしくはＲ信号にＧを掛けて算出したＭ信号とＳ信号との２乗振幅和の比（又はその逆数）が最大になるときのＧの値である。
【００３２】
まず、ｎサンプル目のＲチャンネル信号（Ｒ（ｎ））を、これにＧをかけたものＧ・Ｒ（ｎ）に置き換えると、ｎサンプル目のＭ信号（Ｍ（ｎ））とｎサンプル目のＳ信号Ｓ（ｎ）とは、式６で表される。
【００３３】
【数６】
2008203315.tif 000008
【００３４】
次に、これらの２乗振幅和ＳＵＭ＿Ｍ、ＳＵＭ＿Ｓは、式７で表される。ここで、Σの累積加算範囲はＭＳステレオ処理の処理単位であり、例えば１０２４個のサンプルからなる１フレームである。
【００３５】
【数７】
2008203315.tif 000009
【００３６】
次に、ＳＵＭ＿ＭとＳＵＭ＿Ｓの比Ｘは式８で表される。ただし、Ｘ≧１とする。つまり、ＳＵＭ＿Ｍ≧ＳＵＭ＿Ｓであれば式８のように立式し、ＳＵＭ＿Ｍ＜ＳＵＭ＿Ｓであれば、式８の右辺の分母と分子を逆にする。本実施の形態では、以下ＳＵＭ＿Ｍ≧ＳＵＭ＿Ｓとする。
【００３７】
【数８】
2008203315.tif 000010
【００３８】
Ｘは値が大きいほど前記Ｍ信号と前記Ｓ信号の信号間の偏りが大きい事を意味している。従って、Ｘが最大になるようなＧ（Ｇ＞０）を算出するために、ＸをＧで偏微分したものがゼロとなるときのＧの値を算出する。ＸをＧで偏微分したものは式９で表わされる。
【００３９】
【数９】
2008203315.tif 000011
【００４０】
式９は次のように変形できる（以下、Ｌ（ｎ）をＬに、Ｒ（ｎ）をＲに省略して表記する。）。
【００４１】
【数１０】
2008203315.tif 000012
【００４２】
Ｘが最大となるのは、式９の値がゼロになるとき、すなわち上式の分子がゼロになるときである。上式の分子は下記のように変形できる。
【００４３】
【数１１】
2008203315.tif 000013
【００４４】
上式の値がゼロになるのは、下記のときである（以下ＬをＬ（ｎ）に、ＲをＲ（ｎ）に戻して表記する。）。
【００４５】
【数１２】
2008203315.tif 000014
【００４６】
従って、Ｘが最大となるときのＧの値は式１０で表わされる。
【００４７】
【数１３】
2008203315.tif 000015
【００４８】
このように、重み係数Ｇは、重み係数算出手段５で、Ｌ（ｎ）の２乗を１フレーム期間で累積積算したものと、Ｒ（ｎ）の２乗を１フレーム期間で累積積算したものとの比の平方根を計算する事により算出される。
【００４９】
以上のように構成されたオーディオ符号化装置のエンコーダの動作について、図２のフロー図を用いて説明する。
【００５０】
まず、重み係数算出ステップ１００にて、重み係数算出手段５が、式１０に基づいて重み係数Ｇを算出する。
【００５１】
次に、ＭＳ信号算出ステップ１０１にて、ＭＳ信号算出手段１が、重み係数算出手段５で算出した重み係数Ｇを式６に代入して、Ｍ信号とＳ信号とを算出する。
【００５２】
次に、ＭＳ２乗振幅和算出ステップ１０２にて、ＭＳ２乗振幅和算出手段２が、ＭＳ信号算出手段１で算出したＭ信号とＳ信号とを式７に代入することにより、ＳＵＭ＿ＭとＳＵＭ＿Ｓを算出し、それを式８に代入して、２チャンネルの入力信号間の偏りを意味するＸを算出する。
【００５３】
次に、ＭＳステレオ判定ステップ１０３にて、ＭＳステレオ判定手段３が、ＭＳ２乗振幅和算出手段２で算出したＸと、ＬＲ信号を符号化するよりもＭＳステレオ処理を実行して前ＭＳ信号を符号化する方が圧縮効率が上がると判断可能となる閾値Ｔ１、Ｔ２とを比較し、ＭＳステレオ処理を実行するかどうかを判定する。ここでＴ１はＳＵＭ＿ＭがＳＵＭ＿Ｓに対して十分大きい場合の閾値で、Ｔ２はＳＵＭ＿ＳがＳＵＭ＿Ｍに対して十分に大きい場合の閾値である。すなわち、Ｘ≧Ｔ１もしくはＸ≦Ｔ２であればＭＳステレオ処理を実行し、Ｔ２＜Ｘ＜Ｔ１であればＭＳステレオ処理を実行しないと判定して、その判定結果を出力する。
【００５４】
ＭＳステレオ判定手段３がＭＳステレオ処理を実行すると判定した場合は、ＭＳ信号選択ステップ１０４にて、信号処理手段４がＭＳ信号算出手段１で算出したＭＳ信号を選択して符号化処理を行うとともに、ＭＳステレオ実行フラグ設定ステップ１０５にて、信号処理手段４がＭＳステレオ実行フラグを設定する。
【００５５】
また、ＭＳステレオ判定手段３がＭＳステレオ処理を実行しないと判定した場合は、ＬＲ信号選択ステップ１０６にて、信号処理手段４がＬＲ信号を選択して符号化処理を行う。
【００５６】
続いて、ＭＳステレオ処理のデコーダについて説明する。図３は実施の形態１におけるオーディオ符号化装置のデコーダの構成を示す図である。図３において、６は入力信号を復号化してＬＲ信号もしくはＭＳ信号を出力すると共に、ＭＳステレオ実行フラグの有無を判別し、さらにエンコーダ側で付加された重み係数Ｇを検出する信号処理手段であり、７は信号処理手段６においてＭＳステレオ実行フラグを判別してエンコーダ側でＭＳステレオ処理が実施されたと判断した場合に、信号処理手段６からのＭＳ信号に所定の処理を実行してＬＲ信号を復元するデコード手段である。
【００５７】
以上のように構成された復号化装置のデコーダの動作について以下図４のフロー図を用いて説明する。図４のＭＳステレオ判別ステップ１０７にて、信号処理手段６が、エンコーダ側でＭＳステレオ処理されたかどうかを示すフラグを確認する事で判別し判別結果を出力する。フラグを判別してエンコーダ側でＭＳステレオ処理が実行されていないと判断した場合は、入力信号をデコードする必要がないため、ＭＳステレオデコード処理を終了する。また、フラグを判別してエンコーダ側でＭＳステレオ処理を実行されていると判断した場合は、デコードステップ１０８にて、デコード手段７が、式１１に従い、信号処理手段６が検出した重み係数Ｇを用いてＭＳ信号をデコードして２チャンネルのＬＲ信号を復元する。
【００５８】
【数１４】
2008203315.tif 000016
【００５９】
以上のように、本実施の形態によれば、Ｍ信号とＳ信号間の偏りを大きくするために、従来のＭＳ信号を算出する算出式に重み係数Ｇを導入し、意図的にＭＳ信号間の偏りを大きくすることにより、ＭＳステレオ処理を実行するように判断させて、ＭＳステレオ処理を実行する場合を増加させる事により、結果として符号化に要するビット量を削減する事ができるため、符号化効率を向上させる事が可能となる。また、符号化に要するビット量を削減する事によって他の符号化処理でより多くのビットを割り当てる事が可能となるために高音質化が可能となる。
【００６０】
なお、本実施の形態ではエンコーダへの入力信号はＬ信号、Ｒ信号と表現したが、２チャンネルの信号であれば、ＬＲ信号に限らない、また、それらは時間領域で表現される信号でも良く、また周波数領域で表現される信号でも良い。
【産業上の利用可能性】
【００６１】
本発明は、音楽信号を符号化する機能を含む機器、例えばＰＣ、携帯電話、ポータブルオーディオ機器、ミニコンポに有用である。将来、放送、通信、インターネットなどで符号化を施されたデータが流通する際にも有益である。
【図面の簡単な説明】
【００６２】
【図１】本発明の実施の形態１におけるオーディオ符号化装置の構成を示すブロック図
【図２】本発明の実施の形態１におけるオーディオ符号化装置の動作を示すフロー図
【図３】本発明の実施の形態１におけるオーディオ復号化装置の構成を示すブロック図
【図４】本発明の実施の形態１におけるオーディオ復号化装置の動作を示すフロー図
【図５】従来のオーディオ符号化装置の構成を示すブロック図
【図６】従来のオーディオ符号化装置の動作を示すフロー図
【図７】従来のオーディオ復号化装置の構成を示すブロック図
【図８】従来のオーディオ復号化装置の動作を示すフロー図
【符号の説明】
【００６３】
１  ＭＳ信号算出手段
２  ＭＳ２乗振幅和算出手段
３  ＭＳステレオ判定手段
４  信号処理手段
５  重み係数算出手段
６  信号処理手段
７  デコード手段
１００  重み係数算出ステップ
１０１  ＭＳ信号算出ステップ
１０２  ＭＳ２乗振幅和算出ステップ
１０３  ＭＳステレオ判定ステップ
１０４  ＭＳ信号選択ステップ
１０５  ＭＳステレオ実行フラグ設定ステップ
１０６  ＬＲ信号選択ステップ
１０７  ＭＳステレオ判別ステップ
１０８  デコードステップ
Ｌ  Ｌチャンネル信号
Ｒ  Ｒチャンネル信号
Ｍ  Ｍｉｄｄｌｅ信号
Ｓ  Ｓｉｄｅ信号
Ｇ  重み係数
【図１】
2008203315.tif 000017
【図２】
2008203315.tif 000018
【図３】
2008203315.tif 000019
【図４】
2008203315.tif 000020
【図５】
2008203315.tif 000021
【図６】
2008203315.tif 000022
【図７】
2008203315.tif 000023
【図８】
2008203315.tif 000024